(57)【特許請求の範囲】
【請求項１】
モータにより連動して回転駆動される複数のローラの内、シート状壁装材を表裏面よりピンチする一対のピンチローラにより所定の経路に沿って移動させつつ，同じく回転駆動される糊付けローラにより糊桶内の糊を前記壁装材の裏面に連続的に塗布する壁紙糊付機本体の後部に着脱可能に装着され、前記壁装材の両縁部を連続的に裁断しつつ前記糊付機本体に供給する壁紙糊付用スリッターにおいて、
前記スリッターの一対の裁断刃の間に配され、搬送方向にテンションが掛けられた状態で糊付機本体に引き入れられる壁装材を沿わせるガイド面部と、
前記スリッターのクロス全幅に亘ってガイド面部方向へ押圧された状態でガイド面部にテンションをかけるように配置されるテンションバーと、
このテンションバーに装着され、ガイド面部に沿って搬送される壁装材に当接する一対の当接周部を有する当接ローラと、
前記当接ローラの一対の当接周部の間に配置されるように前記ガイド面に穿設された穿設孔と、
この穿設孔を通してガイド面部に沿って搬送される壁装材に裏面から当接可能なステー片を備えた当接センサーと、
前記ステー片の壁装材に裏面への当接端が穿設孔を通過してガイド面部に沿って搬送される壁装材に当接しない状態を検知した後、予め定められた時間後においても又は予め定められた壁装材の搬送距離が経過した後においてもこの検知が持続した場合に、壁装材の搬送を停止する信号を発するクロス搬送制御手段とを備えたことを特徴とする自動壁紙糊付機用スリッター。
【請求項２】
前記クロス搬送制御手段が、前記ステー片の壁装材に裏面への当接端が穿設孔を通過してガイド面部に沿って搬送される壁装材に当接しない状態を検知した後、前記糊付機本体のピンチローラ直前までの壁装材の搬送距離が経過した後でもこの検知が持続した場合に、壁装材の搬送を停止する信号を発するものであることを特徴とする請求項１に記載の自動壁紙糊付機用スリッター。
【請求項３】
前記クロス搬送制御手段が、前記ステー片の壁装材に裏面への当接端が穿設孔を通過してガイド面部に沿って搬送される壁装材に当接しない状態を検知した後、自動壁紙糊付機の検尺ローラの回動数のカウントを行い、検尺ローラの回動が予め定められた回転数を経過した時点で、この検知が持続した場合に、壁装材の搬送を停止する信号を発するものであることを特徴とする請求項１又は２に記載の自動壁紙糊付機用スリッター。
【請求項４】
モータにより連動して回転駆動される複数のローラの内、シート状壁装材を表裏面よりピンチする一対のピンチローラにより所定の経路に沿って移動させつつ、同じく回転駆動される糊付けローラにより糊桶内の糊を前記壁装材の裏面に連続的に塗布する壁紙糊付機本体と、前記糊付機本体の後部に着脱可能に装着され前記壁装材の両縁部を連続的に裁断しつつ前記糊付機本体に供給するスリッターとを備えた壁紙糊付機において、
前記スリッターの一対の裁断刃の間に配され、搬送方向にテンションが掛けられた状態で糊付機本体に引き入れられる壁装材を沿わせるガイド面部と、
前記スリッターのクロス全幅に亘ってガイド面部方向へ押圧された状態でガイド面部にテンションをかけるように配置されるテンションバーと、
このテンションバーに装着され、ガイド面部に沿って搬送される壁装材に当接する一対の当接周部を有する当接ローラと、
前記当接ローラの一対の当接周部の間に配置されるように前記ガイド面に穿設された穿設孔と、
この穿設孔を通してガイド面部に沿って搬送される壁装材に裏面から当接可能なステー片を備えた当接センサーと、
前記ステー片の壁装材に裏面への当接端が穿設孔を通過してガイド面部に沿って搬送される壁装材に当接しない状態を検知した後、予め定められた時間後においても又は予め定められた壁装材の搬送距離が経過した後においてもこの検知が持続した場合に、壁装材の搬送を停止する信号を発するクロス搬送制御手段とを備えたことを特徴とする自動壁紙糊付機。
【請求項５】
前記クロス搬送制御手段が、前記ステー片の壁装材に裏面への当接端が穿設孔を通過してガイド面部に沿って搬送される壁装材に当接しない状態を検知した後、前記糊付機本体のピンチローラ直前までの壁装材の搬送距離が経過した後でもこの検知が持続した場合に、壁装材の搬送を停止する信号を発するものであることを特徴とする請求項３に記載の自動壁紙糊付機。
【請求項６】
前記クロス搬送制御手段が、前記ステー片の壁装材に裏面への当接端が穿設孔を通過してガイド面部に沿って搬送される壁装材に当接しない状態を検知した後、自動壁紙糊付機の検尺ローラの回動数のカウントを行い、検尺ローラの回動が予め定められた回転数を経過した時点で、この検知が持続した場合に、壁装材の搬送を停止する信号を発するものであることを特徴とする請求項４又は５に記載の自動壁紙糊付機。
【発明の詳細な説明】
【技術分野】
【０００１】
本発明は、自動壁紙糊付機で壁装材に糊を塗布する際に事前に壁装材の側部を裁断するスリッターに関し、このスリッターを備えた自動壁紙糊付機に関するものである。
【背景技術】
【０００２】
現在、建築物の内装施工における壁装材の室内壁面への貼付は、内装作業現場で専用の壁紙糊付機を用いてシート状の壁装材に連続的に糊を塗布しながら行うのが一般的となっている。この壁紙糊付機の一般的な構成としては、内部に複数のローラが配置された上部構体及び下部構体から主に構成される糊付機本体を脚部に支持された台座上に載置し、上下構体の間に挟み込んだシート状壁装材（以下、クロスとも記す）をローラで搬送しながら糊タンク内に軸支されている糊掻上げローラで糊タンクから糊をすくい上げて糊付けローラに転写し、この糊付けローラによりクロス裏面に塗付していくものである。
【０００３】
壁紙糊付機には手動式と自動式とがあり、具体的な構成の一例としては、下部構体上に原反ロールから繰り出したクロスを先端部が本体前面に垂れる状態で載置して上部構体を閉じ、下部構体と上部構体の所定ローラ間にクロスを挟み込んだ状態としておく。手動式壁紙糊付機ではクロス先端を作業者が手で持って前方へ引っ張ることによりローラの一部を追従回転させると共に他のローラをギアを介して連動回転させる。自動式壁紙糊付機では所定のローラの軸を電動モータ等の駆動源に連結して回転させることによって他のローラもギアを介して連動回転するものが一般的である。
【０００４】
何れの糊付機もローラの回転でクロスを糊付機本体の後面から前面側へ搬送させる途中で糊タンク内から引き上げられて転写された糊を、糊付ローラの頂点近傍にて該ローラからクロス裏面に糊が転写され、糊塗布済み状態でクロスが前面から送り出されてくるという構成であり、連動回転するローラの一つを検尺ローラとして、糊付されたクロスの長さを表示している。特に、自動壁紙糊付装機においては、糊付されるクロスの長さを予め設定しておき、所定の長さに到達した際に自動的に停止する機能も有する。また、クロスの紙切れの検出のために光電信号素子等のセンサーをクロスの搬送経路中に設置したり、検尺ローラからの検知信号が検知されなくなったときに、クロスの終端部を特定する終端部検知手段を備えた壁紙糊付機も提案されている（例えば、特許文献１参照）。
【先行技術文献】
【特許文献】
【０００５】
【特許文献１】特開２００２−３０１４１６号公報
【発明の概要】
【発明が解決しようとする課題】
【０００６】
しかしながら、これらクロスの紙切れの検出については、単に原反ロールを補充する等の指令を与えたり、正確なクロスの長さが得られていないことを明確にして作業者の誤認を解消するものでしかなかった。多くの場合には、原反ロールから解かれながら後面に糊を塗布されるクロスの終端部がピンチロールを通り過ぎた場合には、壁紙糊付機の前面下部に垂れたクロスの自重により、クロスが壁紙糊付機の前面に落下する。この場合、終端部近傍では、糊付が不十分である場合が多く、この部分は切り取って廃棄せざるを得ない場合もあった。
【０００７】
本発明は、クロスの終端部を確実に検知し、自動糊付機による糊付工程の駆動を停止しても、クロスが糊付機本体から落下しない自動壁紙糊付機用スリッター及びこのスリッターを備えた自動壁紙糊付機を得ることを目的とする。
【課題を解決するための手段】
【０００８】
請求項１に記載された発明に係る自動壁紙糊付機用スリッターは、モータにより連動して回転駆動される複数のローラの内、シート状壁装材を表裏面よりピンチする一対のピンチローラにより所定の経路に沿って移動させつつ、同じく回転駆動される糊付けローラにより糊桶内の糊を前記壁装材の裏面に連続的に塗布する壁紙糊付機本体の後部に着脱可能に装着され、前記壁装材の両縁部を連続的に裁断しつつ前記糊付機本体に供給する壁紙糊付用スリッターにおいて、
前記スリッターの一対の裁断刃の間に配され、搬送方向にテンションが掛けられた状態で糊付機本体に引き入れられる壁装材を沿わせるガイド面部と、
前記スリッターのクロス全幅に亘ってガイド面部方向へ押圧された状態でガイド面部にテンションをかけるように配置されるテンションバーと、
このテンションバーに装着され、ガイド面部に沿って搬送される壁装材に当接する一対の当接周部を有する当接ローラと、
前記当接ローラの一対の当接周部の間に配置されるように前記ガイド面に穿設された穿設孔と、
この穿設孔を通してガイド面部に沿って搬送される壁装材に裏面から当接可能なステー片を備えた当接センサーと、
前記ステー片の壁装材に裏面への当接端が穿設孔を通過してガイド面部に沿って搬送される壁装材に当接しない状態を検知した後、予め定められた時間後においても又は予め定められた壁装材の搬送距離が経過した後においてもこの検知が持続した場合に、壁装材の搬送を停止する信号を発するクロス搬送制御手段とを備えたことを特徴とするものである。
【０００９】
請求項２に記載された発明に係る自動壁紙糊付機用スリッターは、請求項１に記載のクロス搬送制御手段が、前記ステー片の壁装材に裏面への当接端が穿設孔を通過してガイド面部に沿って搬送される壁装材に当接しない状態を検知した後、前記糊付機本体のピンチローラ直前までの壁装材の搬送距離が経過した後でもこの検知が持続した場合に、壁装材の搬送を停止する信号を発するものであることを特徴とするものである。
【００１０】
請求項３に記載された発明に係る自動壁紙糊付機用スリッターは、請求項１又は２に記載のクロス搬送制御手段が、前記ステー片の壁装材に裏面への当接端が穿設孔を通過してガイド面部に沿って搬送される壁装材に当接しない状態を検知した後、自動壁紙糊付機の検尺ローラの回動数のカウントを行い、検尺ローラの回動が予め定められた回転数を経過した時点で、この検知が持続した場合に、壁装材の搬送を停止する信号を発するものであることを特徴とするものである。
【００１１】
請求項４に記載された発明に係る自動壁紙糊付機は、モータにより連動して回転駆動される複数のローラの内、シート状壁装材を表裏面よりピンチする一対のピンチローラにより所定の経路に沿って移動させつつ，同じく回転駆動される糊付けローラにより糊桶内の糊を前記壁装材の裏面に連続的に塗布する壁紙糊付機本体と、前記糊付機本体の後部に着脱可能に装着され前記壁装材の両縁部を連続的に裁断しつつ前記糊付機本体に供給するスリッターとを備えた壁紙糊付機において、
前記スリッターの一対の裁断刃の間に配され、搬送方向にテンションが掛けられた状態で糊付機本体に引き入れられる壁装材を沿わせるガイド面部と、
前記スリッターのクロス全幅に亘ってガイド面部方向へ押圧された状態でガイド面部にテンションをかけるように配置されるテンションバーと、
このテンションバーに装着され、ガイド面部に沿って搬送される壁装材に当接する一対の当接周部を有する当接ローラと、
前記当接ローラの一対の当接周部の間に配置されるように前記ガイド面に穿設された穿設孔と、
この穿設孔を通してガイド面部に沿って搬送される壁装材に裏面から当接可能なステー片を備えた当接センサーと、
前記ステー片の壁装材に裏面への当接端が穿設孔を通過してガイド面部に沿って搬送される壁装材に当接しない状態を検知した後、予め定められた時間後においても又は予め定められた壁装材の搬送距離が経過した後においてもこの検知が持続した場合に、壁装材の搬送を停止する信号を発するクロス搬送制御手段とを備えたことを特徴とするものである。
【００１２】
請求項５に記載された発明に係る自動壁紙糊付機は、請求項４に記載のクロス搬送制御手段が、前記ステー片の壁装材に裏面への当接端が穿設孔を通過してガイド面部に沿って搬送される壁装材に当接しない状態を検知した後、前記糊付機本体のピンチローラ直前までの壁装材の搬送距離が経過した後でもこの検知が持続した場合に、壁装材の搬送を停止する信号を発するものであることを特徴とするものである。
【００１３】
請求項６に記載された発明に係る自動壁紙糊付機は、請求項４又は５に記載のクロス搬送制御手段が、前記ステー片の壁装材に裏面への当接端が穿設孔を通過してガイド面部に沿って搬送される壁装材に当接しない状態を検知した後、前記糊付機本体の検尺ローラの回動数のカウントを行い、検尺ローラの回動が予め定められた回転数を経過した時点で、この検知が持続した場合に、壁装材の搬送を停止する信号を発するものであることを特徴とするものである。
【発明の効果】
【００１４】
本発明は、クロスの終端部を確実に検知し、クロスの終端縁が糊付機のピンチローラを超える前に糊付工程の駆動を停止させることにより、クロスが糊付機本体から落下しない自動壁紙糊付機用スリッター及びこのスリッターを備えた自動壁紙糊付機を得ることができるという効果がある。
【図面の簡単な説明】
【００１５】
【図１】本発明の一実施例のスリッターを備えた壁紙糊付機の側面図である。
【図２】図１の壁紙糊付機の側部構成を説明する説明図である。
【図３】図１の壁紙糊付機に装着されたスリッターの背面構成図である。
【図４】図３のスリッターの要部拡大構成図である。
【図５】図３のスリッターの要部の側部構成を説明する説明図である。
【図６】図３のスリッターの要部の斜視構成を説明する説明図である。
【図７】図３のスリッターの要部のセンサーの側面構成を説明する説明図である。
【図８】クロス搬送制御手段のフローチャートである。
【発明を実施するための形態】
【００１６】
本発明においては、スリッターの一対の裁断刃の間に配され、搬送方向にテンションが掛けられた状態で糊付機本体に引き入れられるクロスを沿わせるガイド面部と；スリッターのクロス全幅に亘ってガイド面部方向へ押圧された状態でガイド面部にテンションをかけるように配置されるテンションバーと；このテンションバーに装着され、ガイド面部に沿って搬送されるクロスに当接する一対の当接周部を有する当接ローラと；当接ローラの一対の当接周部の間に配置されるようにガイド面に穿設された穿設孔と；この穿設孔を通してガイド面部に沿って搬送されるクロスに裏面から当接可能なステー片を備えた当接センサーと；ステー片のクロス裏面への当接端が穿設孔を通過してガイド面部に沿って搬送されるクロスに当接しない状態を検知した後、予め定められた時間後においても又は予め定められたクロスの搬送距離が経過した後においてもこの検知が持続した場合に、クロスの搬送を停止する信号を発するクロス搬送制御手段と；を備える。これにより、クロスの終端部を確実に検知し、糊付工程の駆動を停止しても、クロスが糊付機本体から落下しないようにすることが可能となる。
【００１７】
即ち、クロスの終端部を確実に検知し、糊付工程の駆動を停止しても、クロスの終端末がピンチローラを超えて搬送されることを防止することにより、クロスが確実にピンチローラにピンチされるため、糊付機本体から落下しない。
【００１８】
本発明のクロス搬送制御手段としては、ステー片のクロス裏面への当接端が穿設孔を通過してガイド面部に沿って搬送されるクロスに当接しない状態を検知した後、予め定められた時間後においても又は予め定められたクロスの搬送距離が経過した後においてもこの検知が持続した場合に、クロスの搬送を停止する信号を発するものであれば良く、好ましくは、糊付機本体のピンチローラ直前までのクロスの搬送距離が経過した後でもこの検知が持続した場合に、クロスの搬送を停止する信号を発するものであれば、クロスの搬送速度が一定でなくても、クロスの終端部を確実に検知し、糊付工程の駆動を停止しても、クロスが確実にピンチローラにピンチされるため、糊付機本体から落下しない。
【００１９】
この場合の検尺ローラとしては、従来の糊付されたクロスの長さを計測する上ピンチローラの検尺機構で計測しても良いし、上ピンチローラの検尺機構とは別に、例えば押さえローラ等に設けても良い。
【００２０】
従って、本発明のクロス搬送制御手段の好ましい態様としては、ステー片の壁装材に裏面への当接端が穿設孔を通過してガイド面部に沿って搬送される壁装材に当接しない状態を検知した後、自動壁紙糊付機の検尺ローラの回動数のカウントを行い、検尺ローラの回動が予め定められた回転数を経過した時点で、この検知が持続した場合に、壁装材の搬送を停止する信号を発するものである。
【００２１】
本発明の自動壁紙糊付機用スリッターは、クロス搬送制御手段によって装着される糊付機本体の駆動を停止可能であれば、単独で販売されるものでも、糊付機本体に付属されたものであっても良い。この場合、壁紙糊付機本体としては、モータにより連動して回転駆動される複数のローラの内、シート状クロスを表裏面よりピンチする一対のピンチローラにより所定の経路に沿って移動させつつ、同じく回転駆動される糊付けローラにより糊桶内の糊を前記クロスの裏面に連続的に塗布する壁紙糊付機本体と、前記糊付機本体の後部に着脱可能に装着され前記クロスの両縁部を連続的に裁断しつつ前記糊付機本体に供給するスリッターとを備えるものであれば良い。
【００２２】
従って、本発明のクロス搬送制御手段としては、スリッターに搭載されていても、スリッターが装着される糊付機のコントローラに搭載されていても良い。
【実施例】
【００２３】
１．全体構成
図１は本発明の一実施例のスリッターを備えた壁紙糊付機の側面図である。図２は図１の壁紙糊付機の側部構成を説明する説明図である。図に示す通り、本実施例の壁紙糊付機は、糊付機本体１と、この糊付機本体１を載置する台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１５の両側壁下方の２箇所のフックに各々掛止されるパチン錠１６で固定される。
【００２４】
台座部１５と一対の脚部２とには、左右の脚部２同士が対向するように折りたたみ可能な折りたたみ機構が備わっており、台座部１５と脚部２との折りたたみ部位にはカバー２３が形成されている。尚、このカバー２３の最下部は折りたたみ時に接地する接地部２４が形成されている。
【００２５】
糊付機本体１は、糊桶５を主とする下部構体３とその上に開閉可能に載置される上部構体４とによって構成される。一方の側板１１の下部構体３にはコントローラ６が装着され、下部構体３の後面側には着脱可能なスリッター７が配され、上部構体４はこの下部構体３の上部を覆うように配されている。
【００２６】
図２に示す通り、コントローラ６内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に転写塗布される。
【００２７】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に転写する。
【００２８】
糊付けローラ３１は、糊付機本体１に着脱自在に取付けられる駆動源である電動モータを備えたコントローラ６の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００２９】
均しローラ３４には、図２に示す通り、均しローラ３４を介して送られて来る糊付済みのクロスＣを糊付機本体１の前面に案内するための複数個のツメ５３が長手方向にほぼ均等に装着されたツメステー５４が、両端に配された装着具（図示せず）を介して取付けられている。
【００３０】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３１】
左右一対の脚部２には、クロス受けブラケット２５が回動自在に配されており、クロス受けブラケット２５の先端部には、原反ロールＲの中心に通されたクロス芯棒２６が軸支されている。
【００３２】
原反ロールＲから繰り出される壁装材（クロス）Ｃは、スリッター７の下方に設置された第１テンションバー６１と第２テンションバー６２とを備えたテンションバー群６３で曲折されながら、スリッター７に搬送され、クロスの両側部が切断される。
【００３３】
２．スリッター
図３は図１の壁紙糊付機に装着されたスリッターの背面構成図である。図４は図３のスリッターの要部拡大構成図である。図５は図３のスリッターの要部の側部構成を説明する説明図である。図６は図３のスリッターの要部の斜視構成を説明する説明図である。図７は図３のスリッターの要部のセンサーの側面構成を説明する説明図である。図８はクロス搬送制御手段のフローチャートである。
【００３４】
スリッター７は、糊付機本体１の下部構体３の下部フレーム３の上部の後壁面に開口されたスリッター装着開口部内に着脱自在に装着される。スリッター７は後背面の中央部にガイド面部７２が配され、そのガイド面部７２の両端部には高速回転する１枚の回転刃とこれを駆動するモータとを内部に備えたカッターボックスセット７１が各々の両端方向に摺動可能に配される。
【００３５】
スリッター７のガイド面部７２側には、このガイド面部７２上を搬送されるクロスをガイド面部７２に押し付けるテンションバー７６を支持するテンションバー支持具７５をスリッターの側壁に備える。このテンションバー支持具７５は、一端部にテンションバー７６が取付けられ、他端部にテンションバーの押し付け位置と解除位置との間を揺動する支点７７を備える。
【００３６】
図３〜図７に示す通り、テンションバー７６の中央には、ガイド面部７２に沿って搬送されるクロスに当接する一対の当接周部８５を有する樹脂ローラ（当接ローラ）８４が装着されている。樹脂ローラ８４の一対の当接周部８５の間に配置されるようにガイド面７２には穿設孔７８が穿設されている。
【００３７】
ガイド面部７２の裏面側には、この穿設孔７８を通してガイド面部７２に沿って搬送されるクロスに裏面から当接可能なステー片８１を備えた当接センサー８０がセンサーカバー８３を介して、ガイド面部７２に取付けられている。
【００３８】
図６，図７に示す通り、穿設孔７８を通してステー片８１は一対の当接周部８５の間に先端が丸まった当接部が突出できるようになっている。このステー片８１の先端部は、スリッター７及び糊付機本体１にクロスＣが装着された場合には、ガイド面部７２に沿って搬送されるクロスＣに裏面から当接する位置に保持される（図７の実線位置）。この位置では、当接センサー８０がＯＮとなり、クロスＣがガイド面７２に沿って搬送されていることが検出される。
【００３９】
図８に示す通り、もし、クロスＣがロールＲから全て解けて、クロスＣの終端部がテンションバー７６を通過した場合には、穿設孔７８を通してステー片８１は一対の当接周部８５の間に先端が丸まった当接部が進入される（図７の破線位置）。この位置では当接センサー８０がＯＦＦとなり、コントローラ６内のクロス搬送制御手段にこのＯＦＦの信号が発せられる。
【００４０】
本実施例では、この当接センサー８０がＯＦＦとなった時点で、糊付機の駆動を停止するのではなく、上ピンチローラ（検尺ローラ）４１の回動のカウントを行う。詳しくは、この上ピンチローラ（検尺ローラ）４１の一端部には図示しない回動センサーが装着されており、この回動センサーのカウントを行う。上ピンチローラ（検尺ローラ）４１の回動が３回転を経過した時点で、当接センサー８０のＯＦＦが継続して経過した場合に、初めて糊付機の駆動を停止する。
【００４１】
これは、クロスの弛みによる誤動作を防止するためである。上ピンチローラ（検尺ローラ）４１の回動が３回転を経過する距離は、クロスの終端がテンションバー７６を通過して糊付機本体１の上下ピンチローラ４１、３２のピンチを通過する前の距離であるため、糊付機の駆動を停止しても、クロスＣが確実に上下ピンチローラ４１、３２でピンチされるため、糊付機本体から落下することはない。
【符号の説明】
【００４２】
Ｒ…原反ロール、
Ｃ…クロス、
１…糊付機本体、
１１…側板、
１５…台座部、
１６…パチン錠、
２…脚部、
２１…前脚、
２２…後脚、
２３…カバー、
２４…接地部、
２５…クロス受けブラケット、
２６…クロス芯棒、
３…下部構体、
３１…糊付けローラ、
３２…下ピンチローラ
３３…ドクターローラ、
３４…均しローラ、
３９…レバー、
４…上部構体、
４１…上ピンチローラ（検尺ローラ）、
４２…押さえローラ、
４３…ドライブローラ、
５…糊桶、
５１…糊上げローラ、
５３…ツメ、
５４…ツメステー、
６…コントローラ、
６１…第１テンションバー、
６２…第２テンションバー、
６３…テンションバー群、
７…スリッター、
７１…カッターボックスセット、
７２…ガイド面部、
７３…支持部、
７４…掛止部、
７５…テンションバー支持具、
７６…テンションバー、
７７…支点、
７８…穿設孔、
８０…当接センサー、
８１…ステー片、
８３…センサーカバー、
８４…樹脂ローラ（当接ローラ）、
８５…当接周部、
【図１】
0005878079.tif 000002
【図２】
0005878079.tif 000003
【図３】
0005878079.tif 000004
【図４】
0005878079.tif 000005
【図５】
0005878079.tif 000006
【図６】
0005878079.tif 000007
【図７】
0005878079.tif 000008
【図８】
0005878079.tif 000009